(57)【要約】【課題】特定の利用者のみがエレベータを利用でき、また、利用者にとって使い勝手の良いエレベータのセキュリティ管理システムを実現する。【解決手段】携帯端末３０からインタ−ネット４０を介してサーバ１０にアクセスする。サーバ１０は特定の利用者からのアクセスである場合に当該利用者がエレベータを利用するための制御情報を携帯端末３０に送る。エレベータ制御装置２２は、上記制御情報に基づいて一定の時間だけエレベータの利用を許可する。このように、特定の利用者にのみ与えられる制御情報によってエレベータを利用可能とすることで、制御情報を持たない部外者の利用を防止する。この場合、鍵やカードなどのように携帯を必要とせず、さらに、暗唱番号のように覚えおく必要もないので、利用者にとって使い勝手の良いセキュリティ管理システムを実現できる。【選択図】　　図１
2004123330.tif 000002
【特許請求の範囲】
【請求項１】
建物内に設置されたエレベータの運行制御を行うエレベータ制御装置と、エレベータの利用者を管理するサーバと、このサーバにインターネットを介して接続される携帯端末とからなるエレベータのセキュリティ管理システムであって、
上記サーバは、
上記携帯端末からアクセス要求があったときに、特定の利用者であることを判別し、その特定の利用者がエレベータを利用するための制御情報を生成して上記携帯端末の表示画面上に表示させ、
上記エレベータ制御装置は、
上記携帯端末の表示画面上に表示された上記制御情報に基づいて上記特定の利用者を判別し、一定の時間の間だけエレベータの利用を許可することを特徴とするエレベータのセキュリティ管理システム。
【請求項２】
建物内に設置されたエレベータの運行制御を行うエレベータ制御装置と、エレベータの利用者を管理するサーバと、このサーバにインターネットを介して接続される携帯端末とからなるエレベータのセキュリティ管理システムであって、
上記サーバは、
特定の利用者を識別するための識別情報とその利用者が利用する階床とが登録されたデータベースと、
上記携帯端末からアクセス要求があったときに上記データベースに登録された識別情報に基づいて上記特定の利用者からのアクセスであるか否かを判別する判別手段と、
この判別手段によって上記特定の利用者であると判別された場合に上記データベースを参照して上記特定の利用者がエレベータを利用可能な階床を含んだ制御情報を生成する制御情報生成手段と、
この制御情報生成手段によって生成された制御情報を送信して上記携帯端末の表示画面上に表示させる送信手段とを備え、
上記エレベータ制御装置は、
上記携帯端末の表示画面上に表示された上記制御情報を入力する入力手段と、この入力手段によって入力された上記制御情報が上記特定の利用者に与えられたものか否かを判別する判別手段と、
この判別手段によって上記特定の利用者に与えられたものであると判別された場合に、一定の時間の間だけエレベータの利用を許可する制御手段とを備えたことを特徴とするエレベータのセキュリティ管理システム。
【請求項３】
上記制御手段は、一定の時間の間だけエレベータのホール呼びの登録を許可すると共に、上記制御情報に基づいて当該利用者が利用可能な階床を対象としてかご呼びの登録を許可することを特徴とする請求項２記載のエレベータのセキュリティ管理システム。
【請求項４】
エレベータ利用者の持つ携帯端末からネットワークを介して接続可能なサーバであって、
特定の利用者を識別するための識別情報とその利用者が利用する階床とが登録されたデータベースと、
上記携帯端末からアクセス要求があったときに上記データベースに登録された識別情報に基づいて上記特定の利用者からのアクセスであるか否かを判別する判別手段と、
この判別手段によって上記特定の利用者であると判別された場合に上記データベースを参照して上記特定の利用者がエレベータを利用可能な階床を含んだ制御情報を生成する制御情報生成手段と、
この制御情報生成手段によって生成された制御情報を送信して上記携帯端末の表示画面上に表示させる送信手段とを具備し、
上記特定の利用者に上記携帯端末の表示画面上に表示された制御情報を用いてエレベータを利用させることを特徴とするサーバ。
【請求項５】
エレベータの運行制御を行うエレベータ制御装置であって、
エレベータを利用するための制御情報を入力する入力手段と、
この入力手段によって入力された上記制御情報が予めエレベータの利用が許可された特定の利用者に与えられたものか否かを判別する判別手段と、
この判別手段によって上記特定の利用者に与えられたものであると判別された場合に、一定の時間の間だけエレベータの利用を許可する制御手段と
を具備したことを特徴とするエレベータ制御装置。
【請求項６】
上記制御手段は、一定の時間の間だけエレベータのホール呼びの登録を許可すると共に、上記制御情報に基づいて当該利用者が利用可能な階床を対象としてかご呼びの登録を許可することを特徴とする請求項５記載のエレベータ制御装置。
【発明の詳細な説明】
【０００１】
【発明の属する技術分野】
本発明は、特定の利用者のみエレベータを利用可能とするエレベータのセキュリティ管理システム、同システムに用いられるサーバ及びエレベータ制御装置に関する。
【０００２】
【従来の技術】
近年、例えばオフィスビル、マンションなどでは、部外者が勝手にエレベータを利用して建物内に侵入できないように、特定の利用者のみがエレベータを利用できるようにしたセキュリティ管理機能を有するエレベータの要求が高まってきている。このようなセキュリティ管理機能を実現する方法として、例えば鍵または磁気カードやＩＣカードを用いて、それを所持している人のみがエレベータを利用できるようにしたり、エレベータの利用を許可された者に対して事前に暗証番号を連絡しておき、乗り場にて正しい暗証番号が入力された場合のみエレベータを利用可能とする方法などが考えられている。
【０００３】
【発明が解決しようとする課題】
しかしながら、鍵あるいは磁気カードやＩＣカードを用いる方法では、これらを携帯していないとエレベータを利用できないといった不便さがある。また、紛失・盗難・複製等により他人に不正に使用される可能性もある。一方、暗証番号を入力する方法では、鍵やカードのように携帯を必要としないものの、暗証番号の忘却の心配や、暗証番号の入力操作中に他人に盗み見られてしまう可能性がある。
【０００４】
なお、指紋、声紋、網膜の照合によるバイオメトリクス関連の認証技術が近年高精度化されてきているが、この種のシステムは非常に高価であり、また、利用する側においても抵抗感がある。
【０００５】
本発明は上記のような点に鑑みなされたもので、特定の利用者のみがエレベータを利用でき、また、利用者にとって使い勝手の良いエレベータのセキュリティ管理システム、同システムに用いられるサーバ及びエレベータ制御装置を提供することを目的とする。
【０００６】
【課題を解決するための手段】
本発明の一観点によるセキュリティ管理システムは、建物内に設置されたエレベータの運行制御を行うエレベータ制御装置と、エレベータの利用者を管理するサーバと、このサーバにインターネットを介して接続される携帯端末とからなるエレベータのセキュリティ管理システムであって、上記サーバは、上記携帯端末からアクセス要求があったときに、特定の利用者であることを判別し、その特定の利用者がエレベータを利用するための制御情報を生成して上記携帯端末の表示画面上に表示させ、上記エレベータ制御装置は、上記携帯端末の表示画面上に表示された上記制御情報に基づいて上記特定の利用者を判別し、一定の時間の間だけエレベータの利用を許可することを特徴とする。
【０００７】
このような構成によれば、利用者は携帯端末からサーバにアクセスすることで、サーバから特定の利用者のみに与えられる制御情報を用いてエレベータを利用することができる。この場合、エレベータ制御装置では、上記制御情報に基づいて特定の利用者であることが判明した場合にのみ、一定の時間だけエレベータの利用を許可するので、部外者によるエレベータの利用を防止することができる。また、上記制御情報はサーバにアクセスすることで与えられるものであり、鍵やカードなどのように携帯を必要とせず、さらに、暗唱番号のように覚えおく必要もないので、利用者にとって使い勝手の良いセキュリティ管理システムを実現できる。
【０００８】
また、本発明の他の観点によるセキュリティ管理システムは、建物内に設置されたエレベータの運行制御を行うエレベータ制御装置と、エレベータの利用者を管理するサーバと、このサーバにインターネットを介して接続される携帯端末とからなるエレベータのセキュリティ管理システムであって、上記サーバは、特定の利用者を識別するための識別情報とその利用者が利用する階床とが登録されたデータベースと、上記携帯端末からアクセス要求があったときに上記データベースに登録された識別情報に基づいて上記特定の利用者からのアクセスであるか否かを判別する判別手段と、この判別手段によって上記特定の利用者であると判別された場合に上記データベースを参照して上記特定の利用者がエレベータを利用可能な階床を含んだ制御情報を生成する制御情報生成手段と、この制御情報生成手段によって生成された制御情報を送信して上記携帯端末の表示画面上に表示させる送信手段とを備え、上記エレベータ制御装置は、上記携帯端末の表示画面上に表示された上記制御情報を入力する入力手段と、この入力手段によって入力された上記制御情報が上記特定の利用者に与えられたものか否かを判別する判別手段と、この判別手段によって上記特定の利用者に与えられたものであると判別された場合に、一定の時間の間だけエレベータの利用を許可する制御手段とを備えたことを特徴とする。
【０００９】
このような構成によれば、利用者の持つ携帯端末からサーバにアクセスすると、サーバでは、データベースに登録された識別情報に基づいて特定の利用者からのアクセスであると判別した場合にその特定の利用者に固有の制御情報を生成して携帯端末に送る。この制御情報は特定の利用者がエレベータを利用可能な階床を含んでおり、例えばバーコードあるいは暗唱番号の形態で生成される。利用者は自分の携帯端末の表示画面上に表示された制御情報を用いてエレベータを利用することができる。エレベータ制御装置では、利用者が入力した制御情報が特定の利用者に与えられたものか否かを判別し、特定の利用者のものであることが判明した場合にのみ、例えばエレベータのホール呼びの登録を許可したり、上記制御情報に基づいて当該利用者が利用可能な階床を対象としてかご呼びの登録を許可する。
【００１０】
このように、サーバから特定の利用者のみに与えられる制御情報を入力することで一定の時間の間だけエレベータの利用が許可された状態になるので、部外者によるエレベータの利用を防止することができる。また、上記制御情報はサーバにアクセスすることで与えられるものであり、鍵やカードなどのように携帯を必要とせず、さらに、暗唱番号のように覚えおく必要もないので、利用者にとって使い勝手良いセキュリティ管理システムを実現できる。
【００１１】
【発明の実施の形態】
以下、図面を参照して本発明の一実施形態を説明する。
【００１２】
図１は本発明の一実施形態に係るエレベータのセキュリティ管理システムの構成を示す図である。本システムは、エレベータ利用者を管理するためのコンピュータであるサーバ１０と、オフィスビル等の建物２０内に設置されたエレベータ管理装置２１、エレベータ制御装置２２、照合判断部２３、制御情報入力部２４、そして、エレベータ利用者が用いる携帯端末３０とで構成される。サーバ１０とエレベータ管理装置２１とは、専用線あるいはインタ−ネット４０を介して接続される。サーバ１０と携帯端末３０とは、インタ−ネット４０を介して接続される。
【００１３】
サーバ１０は、特定の利用者（建物２０内のエレベータを利用することが許可された者）に関する情報を管理すると共に、その特定の利用者がエレベータを利用するのに必要なエレベータ利用制御情報を配信する機能を備えている。図１に示すように、このサーバ１０には、データベース１１、エレベータ利用状況管理部１２、エレベータ利用制御情報生成部１３が設けられている。
【００１４】
データベース１１には、特定の利用者に関する情報として、図２に示すように、利用者の名前（ユーザ名）、その特定の利用者に与えられたＩＤ（識別情報）とパスワード、さらに、その特定の利用者が利用する階床が登録されている。図２の例では、ユーザＡ，Ｂ，Ｃを特定の利用者として、これらの利用者のＩＤとパスワード、利用階の各情報が登録されている。ユーザＡの利用階は１Ｆと３Ｆであり、ユーザＢの利用階は２Ｆと４Ｆ、ユーザＣの利用階は５Ｆである。どの階床を利用するのかは事前にサーバ１０に申告しておくものとする。
【００１５】
エレベータ利用状況管理部１２は、特定の利用者がエレベータを利用している時間帯や、特定の利用者以外の部外者がエレベータを不正に利用しようとしている時間帯などのエレベータ利用状況を管理する。なお、サーバ１０にアクセスしたときに利用者に要求されるＩＤとパスワードが予めデータベース１１に登録されたものと一致しない場合に部外者と判断される。部外者には、後述するエレベータ利用制御情報が与えられないのでエレベータを利用することはできない。エレベータ利用状況管理部１２では、このような部外者のアクセス時間などを履歴として残しておくことで、その情報を防犯に役立てるようにしている。
【００１６】
エレベータ利用制御情報生成部１３は、アクセス要求者が特定の利用者であると判別された場合に、その特定の利用者に対応したエレベータ利用制御情報を生成する。このエレベータ利用制御情報は、ホール呼びの登録を可能とすると共に、当該利用者が利用する階のかご呼びの登録を可能とする情報である。ホール呼びとは、乗り場に設置された呼びボタン（ホールボタン）を押してエレベータの乗りかごを当該階床に呼ぶことを言う。かご呼びとは、乗りかご内に設置された呼びボタン（行先階指定ボタン）を押して行き先階を指定することを言う。例えば、図２に示すユーザＡであれば、１Ｆと３Ｆに対するかご呼びの登録を行うことができる。本実施形態では、このようなエレベータ利用制御情報をバーコードの形態で生成し、これをアクセス要求元の携帯端末３０に送信して画面上に表示させる構成としている（図６参照）。
【００１７】
一方、エレベータ管理装置２１は、エレベータの状態を管理するものであって、例えば監視センター内に設置されている。このエレベータ管理装置２１は、サーバ１０と専用線にて接続されており、ここではサーバ１０から各利用者毎のエレベータ利用制御情報を受信して照合判断部２３に与えている。エレベータ制御装置２２は、エレベータの運行制御を行うものであり、ここでは照合判断部２３によって呼び登録が許可された場合にのみエレベータを運行する。照合判断部２３は、利用者が入力したエレベータ利用制御情報を照合して、ホール呼びとかご呼びの登録を許可／禁止する処理を行う。なお、本実施形態において、この照合判断部２３はエレベータ制御装置２２の一機能として設けられている。制御情報入力部２４は、エレベータ利用制御情報を入力するための機器であり、各階のエレベータ乗り場の所定の位置に設置されている（図４参照）。
【００１８】
携帯端末３０は、エレベータの利用者の持つ端末機器であり、例えば携帯電話機やＰＤＡ（Ｐｅｒｓｏｎａｌ　Ｄｉｇｉｔａｌ　Ａｓｓｉｓｔａｎｔ）などである。この携帯端末３０は、インタ−ネット４０に接続する機能を備えている。エレベータ利用者は、この携帯端末３０を用いてインタ−ネット４０上に存在するサーバ１０にアクセスすることでエレベータ利用制御情報を取得する。
【００１９】
図３に携帯端末３０として携帯電話機を用いた場合の外観構成を示す。この携帯端末３０の本体上には、例えばＬＣＤ（Ｌｉｑｕｉｄ　Ｃｒｙｓｔａｌ　Ｄｉｓｐｌａｙ）の表示画面３１と、データ入力等の各種操作を行うための操作ボタン群３２が設けられている。この携帯端末３０の表示画面３１にサーバ１０から与えられるエレベータ利用制御情報が表示される。
【００２０】
図４にエレベータの乗り場を示す。図中の５１はエレベータの乗場側ドア、５２はホールインジケータ、５３はホールボタンである。このようなエレベータの乗り場において、制御情報入力部２４がホールボタン５３の近傍に設置されている。この制御情報入力部２４は各階毎に設置されており、利用者がエレベータを利用する場合には、この制御情報入力部２４を通じてエレベータ利用制御情報を入力しなければならない。
【００２１】
図５に制御情報入力部２４の外観構成を示す。制御情報入力部２４には、バーコードスキャナー６１と、照合判定表示部６２、かご呼び登録許可表示部６３が設けられている。本実施形態では、サーバ１０からエレベータ利用制御情報がバーコードの形態でエレベータ利用者の携帯端末３０に与えられ、図６に示すように、携帯端末３０の表示画面３１に表示されるようになっている。エレベータ利用者は、この携帯端末３０の表示画面３１を制御情報入力部２４のバーコードスキャナー６１の部分にあてがうことで、その表示画面３１上に表示されたバーコードをバーコードスキャナー６１に読み取らせる。このときのバーコードが正しいものと判別された場合（特定の利用者に与えられたものと一致した場合）には照合判定表示部６２の「ＯＫ」ランプが点灯し、バーコードが正しくないものと判別された場合（特定の利用者に与えられたものと一致しなかった場合）には照合判定表示部６２の「ＮＧ」ランプが点灯する。
【００２２】
また、正しいバーコードであれば、かご呼び登録許可表示部６３の中で当該バーコードで指定されている利用可能な階床が表示される。図５の例では、１Ｆと３Ｆが利用可能な階床として表示されている。この状態では、１Ｆと３Ｆを対象としてかご呼びを登録することができる。
【００２３】
次に、本システムの動作を説明する。
【００２４】
図７は本システムの動作を説明するためのシーケンス図であり、左から順に携帯端末３０側の処理、サーバ１０側の処理、エレベータ制御装置２２を含むエレベータ側の処理を示している。
【００２５】
建物２０内にエレベータを利用するに際し、まず、携帯端末３０からインタ−ネット４０を介してサーバ１０にアクセスする（ステップＳ１１）。すると、サーバ１０からＩＤとパースワードの入力が要求され（ステップＳ１２）、携帯端末３０の表示画面３１上にその入力画面が表示される（ステップＳ１３）。利用者が入力画面に予め与えられているＩＤとパースワードの情報を入力すると、その入力情報がサーバ１０に送られる（ステップＳ１４）。
【００２６】
ここで、サーバ１０では、携帯端末３０から送られてきたＩＤとパースワードの情報が図２に示すデータベース１１に登録されている情報と一致するか否かを判別する（ステップＳ１５）。この登録情報と一致しない場合（ステップＳ１５のＮＧ）、サーバ１０はアクセス要求者が部外者であると判別し、エレベータを利用できない旨を携帯端末３０に通知する（ステップＳ１６）。
【００２７】
なお、このときの照合結果を携帯端末３０のアクセス時間と共にエレベータ利用状況管理部１２にて管理しておくことで、どのような時間帯に部外者がエレベータを利用しようとしているのか、あるいは、特定の利用者がエレベータを利用している時間帯などをサーバ１０側で検証することができる。
【００２８】
携帯端末３０から送られてきたＩＤとパースワードの情報がデータベース１１の登録情報と一致した場合には（ステップＳ１５のＯＫ）、サーバ１０は、特定の利用者であると判定し、データベース１１を参照して当該利用者が利用可能な階を検索する（ステップＳ１７）。例えば、図２のデータベース１１であれば、利用者がユーザＡであると判明した場合に１Ｆと３Ｆを利用可能な階として検索する。そして、サーバ１０は、この利用可能な階を示すバーコードを生成し、これを当該利用者に固有のエレベータ利用制御情報としてアクセス元である利用者の携帯端末３０に送信する（ステップＳ１９）。これにより、利用者の持つ携帯端末３０の表示画面３１には、図６に示すようなバーコードが表示される。利用者はこのバーコードを制御情報入力部２４に入力することで、エレベータを利用できるようになる。
【００２９】
一方、エレベータ側では、通常、ホール呼びの登録およびかご呼びの登録が禁止された状態にあり、許可された者以外はエレベータを利用して建物２０の中に入れないようになっている（ステップＳ２１）。このエレベータを利用するためには、エレベータ利用制御情報が必要となる。各階の乗り場には、図４に示すように制御情報入力部２４が設置されており、この制御情報入力部２４のバーコードスキャナー６１の部分に上記携帯端末３０の表示画面３１をあてがうことで、上述したサーバ１０からエレベータ利用制御情報として与えられたバーコードを読み取らせると（ステップＳ２２）、照合判断部２３によってバーコードの照合処理が行われる。この照合処理は、事前にサーバ１０から与えられている特定の利用者のバーコードの情報と比較することで行われる。
【００３０】
照合の結果、上記制御情報入力部２４のバーコードスキャナー６１で読み取ったバーコードが特定の利用者のものであると判別された場合（ステップＳ２３のＯＫ）、図５に示す照合判定表示部６２の「ＯＫ」ランプが点灯し、ホール呼びの登録が許可される（ステップＳ２４）。つまり、利用者は乗り場に設置されたホールボタン５３を押してエレベータの乗りかごを呼ぶことができる。
【００３１】
また、このときに読み取ったバーコードに基づいて利用者の利用可能な階が判断され、その階床に対するかご呼びの登録が許可される。その際、上記利用可能な階がかご呼び登録許可表示部６３に表示される（ステップＳ２５）。つまり、上記の例でユーザＡであれば、利用可能な階として１Ｆと３Ｆが表示され、利用者が乗りかごに乗ったときに、現在表示されている階床（１Ｆと３Ｆ）を対象として呼び登録を行うことができる。なお、かご呼び登録許可表示部６３が行先階指定ボタンを兼ねような構成とすれば、乗り場に乗りかごが到着する前に、現在表示されている階床を対象として呼びを登録することも可能である。
【００３２】
このようなホール呼びとかご呼びの登録は、バーコードの照合結果（ＯＫの判定）が出てから一定時間のみ許可される（ステップＳ２６）。つまり、一定時間が経過すると（ステップＳ２６のＹｅｓ）、ホール呼びとかご呼びの登録が再び禁止された状態に戻ることになる（ステップＳ２７）。これにより、特定の利用者がエレベータを利用した後で、部外者がそのままエレベータを利用することを回避できる。
【００３３】
このように、特定の利用者のみにサーバ１０からエレベータを利用するための制御情報であるバーコードが与えられる。したがって、このバーコードを持たない部外者によるエレベータの利用を防ぐことができる。この場合、鍵あるいは磁気カードやＩＣカードのように携帯を必要とせず、しかも、紛失や盗難などの心配もない。さらに、暗唱番号のように覚えておく必要もなく、必要に応じてサーバ１０にアクセスするだけで良いため、利用者にとって非常に使いやすいセキュリティ管理システムを実現することができる。
【００３４】
また、サーバ１０に設けられたエレベータ利用状況管理部１２において、特定の利用者がエレベータを利用している時間帯や、特定の利用者以外の部外者がエレベータを不正に利用しようとしている時間帯などを履歴として残しておくことで、建物２０内のエレベータ利用状況を管理することができ、例えば部外者によるエレベータの不正利用が多い時間帯に警備員を増やすなどの防犯上の対策を行うことなどができる。
【００３５】
なお、上記実施形態では、エレベータの利用を可能とするエレベータ利用制御情報をバーコードの形態で特定の利用者に与える構成としたが、このエレベータ利用制御情報を暗唱番号の形態で特定の利用者に与えるようにしても良い。この場合、図９に示すように、利用者が持つ携帯端末３０の表示画面３１上には暗唱番号が表示される。利用者は図８に示す制御情報入力部２４に設けられた番号入力ボタン群６４を押下して、その暗唱番号を入力することになる。
【００３６】
具体的に説明すると、例えばユーザＡが特定の利用者として認められた場合に、図９に示すように、ユーザＡが利用可能な階床として１Ｆを示す暗唱番号「０１２３」と２Ｆを示す暗唱番号「４５６７」がサーバ１０から送られて来て、携帯端末３０の表示画面３１上に表示される。ユーザＡはこれらの暗唱番号を用いてエレベータを利用することができる。
【００３７】
すなわち、暗唱番号「０１２３」と暗唱番号「４５６７」はユーザＡ用の暗唱番号であることがサーバ１０からエレベータ管理装置２１を介して照合判断部２３に事前に与えられており、利用者がこれらの暗唱番号を制御情報入力部２４の番号入力ボタン群６４を押下して入力すれば、ユーザＡであることが認められて、一定時間の間、呼び登録が可能な状態となる。この場合、暗唱番号「０１２３」と暗唱番号「４５６７」のどちらを入力してもホール呼びの登録が可能となる。また、暗唱番号「０１２３」を入力することで１Ｆのかご呼びの登録が可能となり、暗唱番号「４５６７」を入力することで３Ｆのかご呼びの登録が可能となる。
【００３８】
このように、エレベータ利用制御情報を暗唱番号の形態で与えることでも、上記同様に特定の利用者のみエレベータの利用を可能として、部外者による利用を防止することができる。また、この暗唱番号はサーバ１０から与えられるものであるため、利用者が覚えておく必要はなく、忘却によってエレベータを利用できなくなるといった不具合はない。ただし、暗唱番号を入力する方式では、その入力操作時に他人に盗み見られる可能性があるため、サーバ１０側では、アクセス要求があったときに、特定の利用者に与える暗唱番号をその都度変更することが好ましい。このようにすれば、サーバ１０から与えられた暗唱番号を他人に見られたとしても、他人が同じ暗唱番号を使ってエレベータを利用することを防止することができる。
【００３９】
また、上記実施形態では、乗り場で利用者が入力したエレベータ利用制御情報の照合するための照合判断部２３をエレベータ制御装置２２の一機能として構成したが、本発明はこれに限るものではなく、例えば図１０に示すようにエレベータ管理装置２１内に設けるようにしても良い。このエレベータ管理装置２１は、例えば監視センター内に設置されてエレベータの状態を管理しているものである。このように、エレベータ管理装置２１内に照合判断部２３を設けておけば、サーバ１０との間でエレベータ利用制御情報（バーコード／暗唱番号）の更新を行うような場合に直ぐに対応できるといった利点がある。
【００４０】
要するに、本発明は上記実施形態に限定されるものではなく、実施段階ではその要旨を逸脱しない範囲で種々に変形することが可能である。
【００４１】
【発明の効果】
以上詳記したように本発明によれば、サーバから特定の利用者のみに制御情報を与え、エレベータ制御装置ではこの制御情報に基づいて一定の時間だけエレベータの利用を許可するようにしたため、制御情報を持たない部外者のエレベータ利用を防止することができる。また、この制御情報はサーバから与えられるものであり、鍵やカードなどのように携帯を必要とせず、さらに、暗唱番号のように覚えおく必要もないので、利用者にとって使い勝手の良いセキュリティ管理システムを実現できる。
【図面の簡単な説明】
【図１】本発明の一実施形態に係るエレベータのセキュリティ管理システムの構成を示す図。
【図２】上記セキュリティ管理システムに用いられるサーバに備えられたデータベースの一例を示す図。
【図３】上記セキュリティ管理システムに用いられる携帯端末として携帯電話機を用いた場合の外観構成を示す図。
【図４】エレベータの乗り場を示す図。
【図５】上記エレベータの乗り場に設置される制御情報入力部の外観構成を示す図。
【図６】上記携帯端末の表示画面上にエレベータ利用制御情報として表示されるバーコードの一例を示す図。
【図７】上記セキュリティ管理システムの動作を説明するためのシーケンス図であり、携帯端末側の処理、サーバ側の処理、エレベータ制御装置を含むエレベータ側の処理を示すシーケンス図。
【図８】上記エレベータの乗り場に設置される制御情報入力部の他の実施形態として外観構成を示す図。
【図９】上記携帯端末の表示画面上にエレベータ利用制御情報として表示される暗証番号の一例を示す図。
【図１０】本発明の他の実施形態に係るエレベータのセキュリティ管理システムの構成を示す図。
【符号の説明】
１０…サーバ
１１…データベース
１２…エレベータ利用状況管理部
１３…エレベータ利用制御情報生成部
２０…建物
２１…エレベータ管理装置
２２…エレベータ制御装置
２３…照合判断部
２４…制御情報入力部
３０…携帯端末
３１…表示画面
３２…操作ボタン群
５１…乗場側ドア
５２…ホールインジケータ
５３…ホールボタン
６１…バーコードスキャナー
６２…照合判定表示部
６３…かご呼び登録許可表示部
６４…番号入力ボタン群
【図１】
2004123330.tif 000003
【図２】
2004123330.tif 000004
【図３】
2004123330.tif 000005
【図４】
2004123330.tif 000006
【図５】
2004123330.tif 000007
【図６】
2004123330.tif 000008
【図７】
2004123330.tif 000009
【図８】
2004123330.tif 000010
【図９】
2004123330.tif 000011
【図１０】
2004123330.tif 000012